(57)【要約】【課題】近づいた人に不快感を与えにくくした室外ユニットを提供する。【解決手段】圧縮機と熱交換器と送風機とを備え、利用側ユニットに接続されて冷凍装置を構成する室外ユニットにおいて、前記送風機からの風が届く所定の範囲内での人の有無を感知する人感知センサーと、この人感知センサーが人を感知したときに、前記送風機の送風量を低下させると共に、前記圧縮機の容量を低下させる制御装置とを備えたので、人に不快な、外気温と異なる温度の風を吹き付ける恐れが少く、近づいた人への不快感を感じさせにくくすることができる。しかも、このとき、圧縮機の容量も低下させているので、圧縮機からの騒音も低下し、近づいた人に与える音による不快感も感じさせにくくすることができる。【選択図】  図３
2004294032.tif 000002
【特許請求の範囲】
【請求項１】
熱交換器と、この熱交換器に室外空気を通過させるための送風機とを備え、利用側ユニットに接続されて冷凍装置を構成する室外ユニットにおいて、前記送風機からの風が届く所定範囲内での人の有無を感知する人感知センサーと、この人感知センサーが人を感知したときに、前記送風機の送風量を低下させる制御装置とを備えたことを特徴とする室外ユニット。
【請求項２】
容量可変型の圧縮機と、圧縮機からの冷媒が流れる熱交換器と、この熱交換器に室外空気を通過させるための送風機とを備え、利用側ユニットに接続されて冷凍装置を構成する室外ユニットにおいて、前記送風機からの風が届く所定範囲内での人の有無を感知する人感知センサーと、この人感知センサーが人を感知したときに、前記送風機の送風量及び前記圧縮機の容量を低下させる制御装置とを備えたことを特徴とする室外ユニット。
【請求項３】
前記送風機の送風量や前記圧縮機の容量を低下させた後で、前記人感知センサーが人を感知しなくなったときには、人を感知する前の送風量より多い送風量に前記送風機を所定時間制御する、あるいは、人を感知する前の送風量より多い送風量に前記送風機を所定時間制御すると共に、人を感知する前の容量より大きな容量に所定時間制御することを特徴とする請求項１または２に記載の室外ユニット。
【請求項４】
前記所定時間は、前記人感知センサーが人を感知している時間に応じて決められることを特徴とする請求項３に記載の室外ユニット。
【請求項５】
前記送風機の送風量を低下させる時間、または、前記送風機の送風量及び前記圧縮機の容量を低下させる時間は、最大時間が決められていることを特徴とする請求項３に記載の室外ユニット。
【発明の詳細な説明】
【０００１】
【発明の属する技術分野】
本発明は、熱交換器と送風機とを備えた室外ユニットであり、空調機や、冷凍・冷蔵ユニット等の利用側ユニットと接続されて、冷凍装置を構成するものである。
【０００２】
【従来の技術】
利用側機ユニットと接続されて冷凍回路を構成し、圧縮機、熱交換器、この熱交換器に室外空気を通過させる送風機を備えた室外ユニット（熱源側ユニットと呼ばれることもある）は、一般に公知である（例えば、特許文献１参照）。
【０００３】
この特許文献１に記載された室外ユニットは、その送風機が、室外気温に応じて制御されるものである。
【０００４】
【特許文献１】
特許第３３１１４３２号公報
【０００５】
【発明が解決しようとする課題】
前記室外ユニットに空調機などの利用側ユニット（室内ユニットと呼ばれることもある）がつながれた場合は、夏はより高い温度の空気が吹き出され、冬はより低い温度の空気が吹き出されるものである。また、前記室外ユニットに冷凍・冷蔵ユニットなどの利用側ユニットがつながれた場合、夏はより高い温度の空気が吹き出されるものであり、何れの場合も、室外温度と異なる温度の空気が吹き出されるものである。
【０００６】
このような室外ユニットを、例えば、道路に面した場所や庭などに設置した場合、その近くに通行人などの人が通ったときには、外気温と異なる温度の空気が吹き出されているので、その人に不快感を与えることが多かった。
【０００７】
本発明は、近づいた人に不快感を与えにくくした室外ユニットを提供するものである。
【０００８】
【課題を解決するための手段】
本発明は、熱交換器と、この熱交換器に室外空気を通過させるための送風機とを備え、利用側ユニットに接続されて冷凍装置を構成する室外ユニットにおいて、前記送風機からの風が届く所定範囲内での人の有無を感知する人感知センサーと、この人感知センサーが人を感知したときに、前記送風機の送風量を低下させる制御装置とを備えたものである。
【０００９】
また、容量可変型の圧縮機と、圧縮機からの冷媒が流れる熱交換器と、この熱交換器に室外空気を通過させるための送風機とを備え、利用側ユニットに接続されて冷凍装置を構成する室外ユニットにおいて、前記送風機からの風が届く所定範囲内での人の有無を感知する人感知センサーと、この人感知センサーが人を感知したときに、前記送風機の送風量及び前記圧縮機の容量を低下させる制御装置とを備えたものである。
【００１０】
また、前記送風機の送風量や前記圧縮機の容量を低下させた後で、前記人感知センサーが人を感知しなくなったときには、人を感知する前の送風量より多い送風量に前記送風機を所定時間制御する、あるいは、人を感知する前の送風量より多い送風量に前記送風機を所定時間制御すると共に、人を感知する前の容量より大きな容量に所定時間制御するようにしたものである。
【００１１】
更に、前記所定時間を、前記人感知センサーが人を感知している時間に応じて決めるようにしたものである。
【００１２】
また、前記送風機の送風量を低下させる時間、または、前記送風機の送風量及び前記圧縮機の容量を低下させる時間は、最大時間が決められているものである。
【００１３】
【発明の実施の形態】
最初に、第１の実施形態について説明する。
【００１４】
１は室外ユニットであり、利用側ユニットと接続されて、冷凍装置を構成するものである。
【００１５】
この室外ユニットには、図示しないが、内部に冷媒が流れるプレートフィン型の熱交換器、この熱交換器に室外空気を供給するための送風機、冷媒を圧縮する容量可変型（能力可変型）の圧縮機が内蔵されており、送風機からの風が届く範囲のうち、特定の範囲で人を感知する人感知センサも取付けられている。
【００１６】
この人感知センサの感知範囲は図１と図２に示すように、送風機からの風が届く範囲と、ややこの範囲から横側に広めに感知できるような人の感知範囲１を設定している。これは、横側から近づく人を事前に感知するためのものである。また、猫などの小動物を感知しにくいように、通路や庭などの地面３から０．５ｍ以上を感知するような範囲に設定している。
【００１７】
利用側ユニットは、図示しないが、利用側熱交換器、この利用側熱交換器に空気を流通させる送風機を備えている。
【００１８】
そして、この利用側ユニットが、空調機の場合には、利用側熱交換器に流通させる空気は、室内空気となり、冷凍・冷蔵ユニットの場合には、利用側熱交換器に流通させる空気は庫内空気となる。
【００１９】
そして、室外ユニット１は、図示しない制御装置により、送風機の送風量や圧縮機の容量が制御される。圧縮機は、ケーシング内に、冷媒を圧縮する圧縮部と、この圧縮部を駆動するためにモータなどで構成された駆動部とを備えた構成であり、このモータの回転数（正確には回転速度）を制御して、圧縮機の容量（能力）が制御されるものである。
【００２０】
この制御装置は、マイクロコンピュータ等により構成されており、人感知センサの感知時間に応じて、演算し、送風機の送風量や圧縮機の容量を制御するものである。
【００２１】
具体的には図３に示すように制御されるのであるが、人感知センサが人を感知すると、この制御装置は、送風機の送風量を感知前の７５％に低下させると共に、圧縮機の容量も同様に現在の７５％に低下させるものである。尚、この７５％は、風量の低下や、騒音の低下が感じることのできる量として設定したものである。また、この低下させる範囲としては、５０〜８０％の範囲であればよいと考えられ、この５０％以上であれば、利用側ユニットの冷凍能力を低下させても、悪影響がでない程度の範囲と考えられるものである。
【００２２】
但し、圧縮機の容量の低下においては、最低容量以下にすることはできないため、演算された７５％の容量が、最低容量以下の場合は、この最低容量に制御するものである。
【００２３】
この制御装置では、人感知センサが人を感知し、前記送風量の低下、及び圧縮機の容量の低下の制御を行うが、この制御を行う時間の最大時間を、例えば３００秒間と決めている。
【００２４】
これは、人感知センサの誤動作や、人感知センサに感知されるようなものを感知されるような位置に持ってきて人以外のものがずっと感知され続けたり、また、長時間のこのような制御により、利用側ユニットでの冷凍能力の低下が継続され続けるのを防止するためのものである。この制御により、利用側ユニットでの不足する冷凍能力を許容できる範囲内に抑えられる。
【００２５】
そして、人感知センサが人の感知をしなくなると、制御装置は、送風量及び容量を増加する制御を行う。
【００２６】
増加量は、送風量に関しては人を感知する前の送風量から低下させた送風量の２倍の送風量である。
【００２７】
また、容量に関しても人を感知する前の容量から低下させた容量の２倍の容量である。
【００２８】
但し、圧縮機の容量の増加においては、最大容量以上にすることはできないため、２倍の容量を増加させて最大容量を超える場合には、最大容量に制御する。
【００２９】
そして、送風量及び容量を増加する制御の継続時間は、人感知センサが人を感知していた時間に応じて制御装置が演算して決めるものである。
【００３０】
尚、送風量や容量の増加量の範囲としては、１．２〜２倍の範囲が適当と考えられ、２倍より少ない増加量の場合は、後述する演算時間を１．２倍よりやや大きめに演算するようにしないと、低下した分の冷凍能力を補えなくなる恐れがある。
【００３１】
例えば、送風量及び容量を増加する制御の継続時間は、人センサが人を感知していた時間の１．２倍に演算される。この、１．２倍程度であれば、送風量や容量低下で減った冷凍能力分を補えると考えられるからである。また、１．３倍以上になると、冷凍能力の増加が過大となるため、１．１倍〜１．３倍程度が望ましい範囲と考えられる。
【００３２】
このように構成された室外ユニット１では、次に説明するように動作する。
【００３３】
現在、この室外ユニット１が、人の通る道路３に面して設置されていたり、１戸建ての住宅の庭３に設置されているものとする。
【００３４】
人の室外ユニットのそばで、風の届く範囲の所定範囲で、人感知センサにより通行人などの人が感知されると、送風機の送風量及び圧縮機の容量が制御装置により低下される。
【００３５】
このように制御されると、外気と異なる温度の空気がその感知された人に達しにくくなるので、また、風が達したとしても風量が少ないため、制御しなかった場合に比べて、その人の不快感を感じさせにくくすることができる。
【００３６】
また、このとき室外ユニットでは、圧縮機の容量も低下させているので、人に達する風の温度も、制御されていない場合に比べて、室外温度に近づき、不快感を与えにくくなる。
【００３７】
しかも、この圧縮機の容量を低下させることにより、圧縮機からの騒音も低下でき、そばの人に不快感を感じさせにくい制御になる。
【００３８】
そして、人感知センサにより、人の感知がされなくなると、制御装置により、送風量の増加と、容量の増加を行う。
【００３９】
この増加量は、低下した量の２倍であるため、人感知センサで人が感知される以前の送風量及び容量より増加させた制御となる。
【００４０】
また、この増加させた制御の制御時間は、人感知センサが人を感知していた感知時間の１．２倍の時間である。
【００４１】
このように制御されると、送風量及び容量低下による冷凍能力の低下分を補うことができるものである。
【００４２】
次に、第２の実施形態について説明する。
【００４３】
第１の実施形態と異なる点について説明し、同一、又は同様の部分についてはその説明を省略する。
【００４４】
この第２の実施形態の室外ユニットは、その内部に圧縮機を備えていないものである。このため、利用側機ユニットと、機械室などの設置され圧縮機が収納された圧縮機ユニットと、この室外ユニットとの３つのユニットをつなぐことにより冷凍装置を構成するものである。
【００４５】
このため、室外ユニットの送風機の制御を行う制御装置は、圧縮機の容量制御は行わないものである。
【００４６】
この室外ユニットに人が近づき、人感知センサで人が感知されると送風機の送風量が低下するように制御装置により制御される（図４参照）。
【００４７】
このように制御されると、圧縮機の容量を低下させる制御を行っていないので、第１の実施の形態のように圧縮機の容量を低下させた制御に比べて、利用側ユニットでの冷凍能力の低下が小さく抑えられる。また、冷凍能力の低下が小さく押さえれるため、人感知センサが人を感知し送風量の低下させる制御の最大時間を、比較的長めに設定することも可能になる。
【００４８】
【発明の効果】
本発明の室外ユニットによれば、通行人などの人が室外ユニットに近づいて人感知センサでその人が感知されたときには、送風量を低下させるので、外気と異なる温度の風を人に当てにくくなるように制御し、人に不快な、外気温と異なる温度の風を吹き付ける恐れが少く、近づいた人への不快感を感じさせにくくすることができる。
【００４９】
また、請求項２に記載の発明によれば、特に、通行人などの人が室外ユニットに近づいて人感知センサでその人が感知されたときには、制御装置により送風量を低下させると共に圧縮機の容量を低下させる。このため、外気と異なる温度の風を人に当てにくくなるように制御し、人に不快な、外気温と異なる温度の風を吹き付ける恐れが少く、近づいた人への不快感を感じさせにくくすることができると共に、圧縮機からの騒音を低下させ、近づいた人への騒音による不快感も感じさせにくくすることができる。
【００５０】
また、請求項３に記載の発明によれば、特に、送風機の送風量や圧縮機の容量を下させた後で、人感知センサーが人を感知しなくなったときには、人を感知する前の送風量より多い送風量に前記送風機を所定時間制御する、あるいは、人を感知する前の送風量より多い送風量に前記送風機を所定時間制御すると共に、人を感知する前の容量より大きい容量に所定時間制御するので、送風機の送風量の低下や、圧縮機の容量の低下による冷凍能力の低下を、人感知センサーが人を感知しなくなったときには速やかに補うことができる。
【００５１】
また、請求項４に記載の発明によれば、所定時間を、前記人感知センサーが人を感知している時間に応じて決めるので、送風機の送風量の低下や、圧縮機の容量の低下による冷凍能力の低下分の冷凍能力を確実に補うことができる。
【００５２】
また、請求項５に記載の発明によれば、前記送風機の送風量を低下させる時間、または、前記送風機の送風量及び前記圧縮機の容量を低下させる時間は、最大時間が決められているので、利用側ユニットで不足する冷凍能力を許容できる範囲に抑えられる。
【図面の簡単な説明】
【図１】本発明の室外ユニットの平面における人感知範囲を示す説明図である。
【図２】本発明の室外ユニットの側面における人感知範囲を示す説明図である。
【図３】人感知の有無により制御される送風機の送風量及び圧縮機の容量の説明図である。
【図４】人感知の有無により制御される送風機の送風量の説明図である。
【符号の説明】
１          室外ユニット
２          人感知範囲
【図１】
2004294032.tif 000003
【図２】
2004294032.tif 000004
【図３】
2004294032.tif 000005
【図４】
2004294032.tif 000006